(57)【特許請求の範囲】
【請求項１】
放送信号を受信して放送番組の音声信号を復調する放送受信部と、
前記放送番組の音声信号からＣＭ音声信号を抽出するＣＭ抽出部と、
前記ＣＭ音声信号から特定の音声パターンであるキーワードを抽出するキーワード抽出部と、
前記キーワードとそのカテゴリとが対応付けて記憶されたカテゴリデータベースと、
前記カテゴリデータベースを参照して、前記キーワード抽出部が前記ＣＭ音声信号から抽出したキーワードに対応するカテゴリをＣＭカテゴリとして抽出するＣＭカテゴリ抽出部と、
前記ＣＭカテゴリがその抽出回数と共に蓄積されるＣＭカテゴリデータベースと、
前記ＣＭカテゴリデータベースを参照し、前記ＣＭカテゴリのうちその抽出回数に基づく特定のカテゴリを、ユーザが嗜好する嗜好カテゴリとして特定する嗜好カテゴリ特定部と、を備える、
ユーザ嗜好特定装置。
【請求項２】
前記放送番組の録画又は視聴に関する予約の実行結果を管理する予約管理部をさらに備え、
前記ＣＭ抽出部は、前記予約の実行により復調した前記放送番組の音声信号から前記ＣＭ音声信号を抽出する、
請求項１に記載のユーザ嗜好特定装置。
【請求項３】
請求項１に記載のユーザ嗜好特定装置と、
コンテンツ制御装置と、
を備えたコンテンツ配信装置であって、
前記コンテンツ制御装置は、
前記ユーザ嗜好特定装置が特定した前記嗜好カテゴリを取得するカテゴリ取得部と、
コンテンツをカテゴリに対応付けて記憶するコンテンツデータベースと、
前記コンテンツデータベースから前記嗜好カテゴリに対応したコンテンツを嗜好コンテンツとして抽出するコンテンツ抽出部と、
前記コンテンツ抽出部が抽出した前記嗜好コンテンツを配信するコンテンツ配信部と、
を備える、
コンテンツ配信装置。
【請求項４】
前記コンテンツ制御装置は、前記コンテンツ抽出部が抽出した複数の前記嗜好コンテンツに、前記嗜好コンテンツの前記嗜好カテゴリの抽出回数又は抽出日時の情報に基づき、優先順位を付与する優先順位付与部をさらに備える、
請求項３に記載のコンテンツ配信装置。
【請求項５】
請求項１または請求項２に記載のユーザ嗜好特定装置が行うユーザ嗜好特定方法であって、
前記放送受信部が前記放送信号を受信して前記放送番組の音声信号を復調するステップと、
前記ＣＭ抽出部が前記放送番組の音声信号から前記ＣＭ音声信号を抽出するステップと、
前記キーワード抽出部が前記ＣＭ音声信号から特定の音声パターンである前記キーワードを抽出するステップと、
前記ＣＭカテゴリ抽出部が前記キーワードとそのカテゴリとが対応付けて記憶された前記カテゴリデータベースを参照し、前記ＣＭ音声信号から抽出されたキーワードに対応するカテゴリを前記ＣＭカテゴリとして抽出するステップと、
前記ＣＭカテゴリがその抽出回数に対応付けられて前記ＣＭカテゴリデータベースに記憶されるステップと、
前記嗜好カテゴリ特定部が前記ＣＭカテゴリデータベースを参照し、前記ＣＭカテゴリデータベースに記憶された前記ＣＭカテゴリのうち、その抽出回数に基づく特定のカテゴリを、ユーザが嗜好する嗜好カテゴリとして特定するステップと、を備える、
ユーザ嗜好特定方法。
【請求項６】
請求項３または請求項４に記載のコンテンツ配信装置が行うコンテンツ配信方法であって、
前記カテゴリ取得部が、前記ユーザ嗜好特定装置が特定した前記嗜好カテゴリを取得するステップと、
前記コンテンツ抽出部が、コンテンツをカテゴリに対応付けて記憶する前記コンテンツデータベースから前記嗜好カテゴリに対応したコンテンツを前記嗜好コンテンツとして抽出するステップと、
前記コンテンツ配信部が前記嗜好コンテンツを配信するステップと、を備える、
コンテンツ配信方法。
【発明の詳細な説明】
【技術分野】
【０００１】
この発明は、放送番組のＣＭからユーザの嗜好を特定する技術に関する。
【背景技術】
【０００２】
テレビ放送の多チャンネル化又はインターネット放送の普及等により、放送のユーザが多くの情報に接する機会が飛躍的に増加している。ただし、それらの放送は不特定多数のユーザに向けて送信されたものであるため、個々のユーザが求める情報との間に差異がある場合が多く、個々のユーザは多くの情報の中から自分が必要とする情報を探し出す必要がある。また、放送局又は各メーカ等の情報発信者側にとっても、不特定多数のユーザへの情報発信では訴求効果が薄いため、個々のユーザに合わせた情報発信を行う必要がある。そのため、個々のユーザの嗜好に合わせた情報を提示する技術の開発が進められている。
【０００３】
例えば、特許文献１には、ユーザが視聴又は録画したテレビ番組の識別情報及び位置情報を蓄積し、それらから判断したユーザの嗜好に応じて放送番組を推薦することが提案されている。
【０００４】
また、特許文献２では、テレビ番組の視聴履歴、又はインターネットサイトの閲覧履歴等のユーザの行動履歴から、ユーザの嗜好情報を生成及び蓄積し、嗜好情報に基づき抽出したアイテムを、行動履歴を取得したメディアとは異なるメディアに提示することが提案されている。例えば、インターネットサイトの閲覧履歴から抽出したアイテムに基づき、テレビ放送で受信する放送番組を推薦する。
【先行技術文献】
【特許文献】
【０００５】
【特許文献１】特開２０１０−２５９１０５号公報（段落００１３−００１７、第２３図）
【特許文献２】特開２０１１−９５８１４号公報（段落００１１−００２０、第１図）
【発明の概要】
【発明が解決しようとする課題】
【０００６】
しかしながら、特許文献１，２では、視聴又は録画した番組の情報、並びにインターネットサイトの閲覧情報からユーザの嗜好情報を類推していたが、ＣＭからユーザの嗜好を特定することは出来なかった。
【０００７】
本発明は上述の問題点に鑑み、放送番組のＣＭからユーザの嗜好を特定することを目的とする。
【課題を解決するための手段】
【０００８】
本発明のユーザ嗜好特定装置は、放送信号を受信して放送番組の音声信号を復調する放送受信部と、放送番組の音声信号からＣＭ音声信号を抽出するＣＭ抽出部と、ＣＭ音声信号から特定の音声パターンであるキーワードを抽出するキーワード抽出部と、キーワードとそのカテゴリとが対応付けて記憶されたカテゴリデータベースと、カテゴリデータベースを参照して、キーワード抽出部がＣＭ音声信号から抽出したキーワードに対応するカテゴリをＣＭカテゴリとして抽出するＣＭカテゴリ抽出部と、ＣＭカテゴリがその抽出回数と共に蓄積されるＣＭカテゴリデータベースと、ＣＭカテゴリデータベースを参照し、ＣＭカテゴリのうちその抽出回数に基づく特定のカテゴリを、ユーザが嗜好する嗜好カテゴリとして特定する嗜好カテゴリ特定部と、を備える。
【０００９】
本発明のユーザ嗜好特定方法は、放送受信部が放送信号を受信して放送番組の音声信号を復調するステップと、ＣＭ抽出部が放送番組の音声信号からＣＭ音声信号を抽出するステップと、キーワード抽出部がＣＭ音声信号から特定の音声パターンであるキーワードを抽出するステップと、ＣＭカテゴリ抽出部がキーワードとそのカテゴリとが対応付けて記憶されたカテゴリデータベースを参照し、ＣＭ音声信号から抽出されたキーワードに対応するカテゴリをＣＭカテゴリとして抽出するステップと、ＣＭカテゴリがその抽出回数に対応付けられてＣＭカテゴリデータベースに記憶されるステップと、嗜好カテゴリ特定部がＣＭカテゴリデータベースを参照し、ＣＭカテゴリデータベースに記憶されたＣＭカテゴリのうち、その抽出回数に基づく特定のカテゴリを、ユーザが嗜好する嗜好カテゴリとして特定するステップと、を備える。
【発明の効果】
【００１０】
本発明のユーザ嗜好特定装置は、放送信号を受信して放送番組の音声信号を復調する放送受信部と、放送番組の音声信号からＣＭ音声信号を抽出するＣＭ抽出部と、ＣＭ音声信号から特定の音声パターンであるキーワードを抽出するキーワード抽出部と、キーワードとそのカテゴリとが対応付けて記憶されたカテゴリデータベースと、カテゴリデータベースを参照して、キーワード抽出部がＣＭ音声信号から抽出したキーワードに対応するカテゴリをＣＭカテゴリとして抽出するＣＭカテゴリ抽出部と、ＣＭカテゴリがその抽出回数と共に蓄積されるＣＭカテゴリデータベースと、ＣＭカテゴリデータベースを参照し、ＣＭカテゴリのうちその抽出回数に基づく特定のカテゴリを、ユーザが嗜好する嗜好カテゴリとして特定する嗜好カテゴリ特定部と、を備える。従って、放送番組のＣＭからユーザの嗜好を特定することができる。
【００１１】
本発明のユーザ嗜好特定方法は、放送受信部が放送信号を受信して放送番組の音声信号を復調するステップと、ＣＭ抽出部が放送番組の音声信号からＣＭ音声信号を抽出するステップと、キーワード抽出部がＣＭ音声信号から特定の音声パターンであるキーワードを抽出するステップと、ＣＭカテゴリ抽出部がキーワードとそのカテゴリとが対応付けて記憶されたカテゴリデータベースを参照し、ＣＭ音声信号から抽出されたキーワードに対応するカテゴリをＣＭカテゴリとして抽出するステップと、ＣＭカテゴリがその抽出回数に対応付けられてＣＭカテゴリデータベースに記憶されるステップと、嗜好カテゴリ特定部がＣＭカテゴリデータベースを参照し、ＣＭカテゴリデータベースに記憶されたＣＭカテゴリのうち、その抽出回数に基づく特定のカテゴリを、ユーザが嗜好する嗜好カテゴリとして特定するステップと、を備える。従って、放送番組のＣＭからユーザの嗜好を特定することができる。
【図面の簡単な説明】
【００１２】
【図１】実施の形態１に係るユーザ嗜好特定装置の構成を示すブロック図である。
【図２】ＣＭ音声信号からキーワードを抽出する様子を示す図である。
【図３】カテゴリデータベースを示す図である。
【図４】実施の形態１に係るユーザ嗜好特定装置の動作を示すフローチャートである。
【図５】実施の形態２に係るコンテンツ表示装置の構成を示すブロック図である。
【図６】実施の形態２に係るコンテンツ表示装置の動作を示すフローチャートである。
【図７】実施の形態２に係るコンテンツ表示装置におけるコンテンツ一覧の表示画面を示す図である。
【発明を実施するための形態】
【００１３】
＜Ａ．実施の形態１＞
＜Ａ−１．構成＞
図１は、実施の形態１に係るユーザ嗜好特定装置１の構成を示すブロック図である。ユーザ嗜好特定装置１は、例えばデジタル放送受信機能を有するテレビ受像機であり、図１には示していないが、受信したデジタル放送を表示する表示部を備えている。
【００１４】
ユーザ嗜好特定装置１は、デジタル放送受信部２、予約管理部３、視聴管理部４、番組データベース（ＤＢ）５、ＣＭ抽出部６、キーワードデータベース（ＤＢ）７、キーワード抽出部８、カテゴリデータベース（ＤＢ）９、ＣＭカテゴリ抽出部１０、ＣＭカテゴリデータベース１１、嗜好カテゴリ特定部１２及び嗜好カテゴリデータベース１３を備えている。
【００１５】
デジタル放送受信部２は、アンテナ１４が受信したデジタル放送信号を増幅し、映像信号及び音声信号を含む映像音声信号へ復調する。この動作は一般的なデジタル放送受信機における動作と同様である。以下、放送番組の映像音声信号を番組データと呼ぶ。
【００１６】
図１には示していないが、ユーザ嗜好特定装置１の本体に設けられたスイッチ又はリモートコントローラ（リモコン）からの操作によって、放送番組の視聴予約又は録画予約といった予約動作を実施することができる。そして、これら予約の実行結果に関する情報（予約実行の成否、視聴チャンネル及び視聴時間など）は予約管理部３によって管理される。また、予約によらない放送番組の視聴に関する情報（視聴チャンネル及び視聴時間など）は視聴管理部４によって管理される。
【００１７】
また、視聴又は録画された番組データは、番組データベース５に格納される。
【００１８】
番組には本編とＣＭとが含まれている。ＣＭ抽出部６は、番組データベース５に格納された番組データからＣＭ音声信号を抽出する。ＣＭ音声信号の抽出は、本編とＣＭとの間の映像または音声の違いなどから、本編とＣＭとの切り替わりを認識することにより行われる。なお、デジタル放送受信部２で復調された番組データは、番組データベース５に格納されることなく直接ＣＭ抽出部６に送られ、ＣＭ抽出部６が当該番組データからＣＭ音声信号を抽出する場合もある。
【００１９】
キーワードデータベース７には、キーワードの音声信号である音声パターンデータが格納されている。キーワード抽出部８は、キーワードデータベース７を参照し、ＣＭ抽出部６で抽出したＣＭ音声信号と音声パターンデータとを比較分析し、ＣＭ音声信号からキーワードを抽出する。このキーワード抽出は、ＣＭ音声信号内に音声パターンデータが検出されるか否かを判定することにより行う。
【００２０】
図２は、キーワード抽出部８によるキーワード抽出の方法を示す図である。キーワードデータベース７に「エジソン」及び「エンジン」という２通りの音声パターンデータが格納されているとする。なお、図２の波形は、横軸が時間を、縦軸が入力電圧の振幅を示している。ＣＭの音声信号内に音声パターンデータ「エンジン」が検出された場合、キーワード「エンジン」がＣＭから抽出されたことになる。他方、ＣＭの音声信号内に音声パターンデータ「エジソン」が検出されない場合、キーワード「エジソン」はＣＭから抽出されなかったことになる。
【００２１】
また、同じキーワードであっても、イントネーション又は発音の強弱の異なる複数の音声パターンデータを用意することによって、キーワードの検出精度を高めることができる。
【００２２】
カテゴリデータベース９には、キーワードと、当該キーワードが属するカテゴリとが対応付けて格納されている。図３に、カテゴリデータベース９の一例を示している。キーワードには品名を示すものとスポンサー名を示すものとがある。例えば、キーワード「肉」、「製菓店Ｂ」には、カテゴリ「グルメ」に属する。このように、カテゴリはいわばキーワードの上位概念に相当する。
【００２３】
ＣＭカテゴリ抽出部１０は、カテゴリデータベース９を参照して、キーワード抽出部８がＣＭ音声信号から抽出したキーワードに対応するカテゴリをＣＭカテゴリとして抽出する。例えば、図２に示したように「エンジン」というキーワードがＣＭから抽出された場合、ＣＭカテゴリとしては「車」が抽出される。こうして抽出されたＣＭカテゴリは、抽出日時と共にＣＭカテゴリデータベース１１に蓄積される。
【００２４】
嗜好カテゴリ特定部１２は、ＣＭカテゴリデータベース１１に蓄積されたＣＭカテゴリの中から、ユーザの嗜好に合致していると思われるＣＭカテゴリを嗜好カテゴリとして特定する。ここでは、例えば抽出回数が最も多いＣＭカテゴリを嗜好カテゴリとする。また、過去半年間の間に抽出されたＣＭカテゴリのみを探索範囲とすれば、ユーザの最新の嗜好を反映することができる。このように、ＣＭカテゴリの抽出時期による条件を設定しても良い。嗜好カテゴリ特定部１２が特定した嗜好カテゴリは、当該嗜好カテゴリの特定回数及び特定日時等の情報と共に、嗜好情報として嗜好カテゴリデータベース１３に格納される。
【００２５】
次に、ユーザ嗜好特定装置１のハードウェア構成について説明する。ユーザ嗜好特定装置１は、プロセッサ、メモリ、受信装置、入力インタフェース（Ｉ／Ｆ）を備えて構成される。デジタル放送受信部２、予約管理部３、視聴管理部４、ＣＭ抽出部６、キーワード抽出部８、ＣＭカテゴリ抽出部１０及び嗜好カテゴリ特定部１２は、ＲＡＭ（Ｒａｎｄｏｍ  Ａｃｃｅｓｓ  Ｍｅｍｏｒｙ）等のメモリに格納されたソフトウェアプログラムをＣＰＵ（Ｃｅｎｔｒａｌ  Ｐｒｏｃｅｓｓｉｎｇ  Ｕｎｉｔ）等のプロセッサが実行することにより実現される。但し、これらは例えば複数のプロセッサが連携して実現されても良い。また、番組データベース（ＤＢ）５、キーワードデータベース（ＤＢ）７、カテゴリデータベース（ＤＢ）９、ＣＭカテゴリデータベース１１及び嗜好カテゴリデータベース１３は、メモリにより実現される。
【００２６】
＜Ａ−２．動作＞
図４は、ユーザ嗜好特定装置１の動作を示すフローチャートである。以下、図４に沿ってユーザ嗜好特定装置１の動作を説明する。まず、ユーザ嗜好特定装置１は、アンテナ１４が受信したデジタル放送信号を増幅及び変調して、映像音声信号（番組データ）を作成する（ステップＳ１０１）。この番組データは番組データベース５に格納される。
【００２７】
次に、予約管理部３が、ステップＳ１０１の作成動作が、視聴予約又は録画予約等の予約機能に基づく動作（予約動作）であるか否かを判断する（ステップＳ１０２）。予約動作である場合には、予約が成功したか否かを判定する（ステップＳ１０３）。予約が成功した場合は、ＣＭ抽出部６によるＣＭの抽出処理（ステップＳ１０５）に移行する。
【００２８】
一方、ステップＳ１０１の受信動作が予約動作でない場合（ステップＳ１０２：Ｎｏ）、又は予約動作であるが予約が失敗した場合には（ステップＳ１０３：Ｎｏ）、視聴管理部４が視聴時間の経過を判断する。視聴管理部４はステップＳ１０１で番組データが作成された番組の視聴時間を計測しており、一定時間が経過した場合には（ステップＳ１０４：Ｙｅｓ）、ユーザがザッピング等による短時間の視聴ではなく継続的に番組を視聴していると判断し、ＣＭ抽出部６によるＣＭの抽出処理（ステップＳ１０５）に移行する。番組の視聴時間が一定時間に満たなければ（ステップＳ１０４：Ｎｏ）、ステップＳ１０１に戻る。
【００２９】
ステップＳ１０５では、ＣＭ抽出部６が、番組データベース５に格納された番組データからＣＭを抽出する。次いで、キーワード抽出部８がＣＭ音声信号とキーワードデータベース７に保持している音声パターンデータ（キーワードの音声信号）とを比較し、ＣＭ音声にキーワードが含まれるか否かを判断する（ステップＳ１０６）。ＣＭ音声にキーワードが含まれなければ（ステップＳ１０６：Ｎｏ）、ステップＳ１０１に戻る。
【００３０】
ＣＭ音声にキーワードが含まれる場合は、キーワード抽出部８が当該キーワードを抽出する（ステップＳ１０７）。
【００３１】
次いで、ＣＭカテゴリ抽出部１０がカテゴリデータベース９を参照し、ステップＳ１０７で抽出したキーワードに対応するカテゴリをＣＭカテゴリとして抽出する（ステップＳ１０８）。ステップＳ１０８で抽出したＣＭカテゴリは、ＣＭカテゴリデータベース１１に蓄積される（ステップＳ１０９）。
【００３２】
次に、嗜好カテゴリ特定部１２が、ＣＭカテゴリデータベース１１に蓄積されたＣＭカテゴリとその抽出日時及び抽出回数などの情報を基にして、ユーザの嗜好に合致していると思われるＣＭカテゴリを嗜好カテゴリとして特定する（ステップＳ１１０）。
【００３３】
嗜好カテゴリはその抽出回数及び抽出日時などの情報と共に、嗜好カテゴリデータベース１３に蓄積され（ステップＳ１１１）、処理を終了する。
【００３４】
＜Ａ−３．変形例＞
以上の説明では、デジタル放送の受信に関してユーザ嗜好特定装置１を説明したが、アナログ放送又はラジオ放送を受信する場合でも本発明を適用することができる。
【００３５】
また、ＣＭの抽出又はＣＭカテゴリを抽出する方法として、ＣＭ音声信号から音声分析によりキーワードを抽出する方法を説明したが、映像による方法または映像と音声とを組み合わせた方法を用いてＣＭカテゴリを抽出しても良い。また、字幕、データ放送又は放送に重畳される各種のデータ、例えば、放送通信連携で使用されるようなアプリケーション情報等を用いてＣＭカテゴリを抽出しても良い。
【００３６】
また、以上の説明では、デジタル放送受信部２、予約管理部３、視聴管理部４、ＣＭ抽出部６、キーワード抽出部８、ＣＭカテゴリ抽出部１０及び嗜好カテゴリ特定部１２は、プロセッサがメモリ等に記憶されたソフトウェアプログラムに従って動作することにより実現された。しかしこれに代えて、デジタル放送受信部２、予約管理部３、視聴管理部４、ＣＭ抽出部６、キーワード抽出部８、ＣＭカテゴリ抽出部１０及び嗜好カテゴリ特定部１２は、当該動作をハードウェアの電気回路で実現する信号処理回路により実現されても良い。ソフトウェアのデジタル放送受信部２、予約管理部３、視聴管理部４、ＣＭ抽出部６、キーワード抽出部８、ＣＭカテゴリ抽出部１０及び嗜好カテゴリ特定部１２と、ハードウェアのデジタル放送受信部２、予約管理部３、視聴管理部４、ＣＭ抽出部６、キーワード抽出部８、ＣＭカテゴリ抽出部１０及び嗜好カテゴリ特定部１２とを合わせた概念として、「部」という語に代えて「処理回路」という語を用いることもできる。
【００３７】
＜Ａ−４．効果＞
実施の形態１に係るユーザ嗜好特定装置１は、放送信号を受信して放送番組の音声信号を復調するデジタル放送受信部２（放送受信部）と、放送番組の音声信号からＣＭ音声信号を抽出するＣＭ抽出部６と、ＣＭ音声信号から特定の音声パターンであるキーワードを抽出するキーワード抽出部８と、キーワードとそのカテゴリとが対応付けて記憶されたカテゴリデータベース９と、カテゴリデータベース９を参照して、キーワード抽出部８がＣＭ音声信号から抽出したキーワードに対応するカテゴリをＣＭカテゴリとして抽出するＣＭカテゴリ抽出部１０と、ＣＭカテゴリがその抽出回数と共に蓄積されるＣＭカテゴリデータベース１１と、ＣＭカテゴリデータベース１１を参照し、ＣＭカテゴリのうちその抽出回数に基づく特定のカテゴリを、ユーザが嗜好する嗜好カテゴリとして特定する嗜好カテゴリ特定部１２と、を備える。従って、放送番組のＣＭからユーザの嗜好を特定することができる。
【００３８】
また、ユーザ嗜好特定装置１は、放送番組の録画又は視聴に関する予約の実行結果を管理する予約管理部３をさらに備え、ＣＭ抽出部６は、予約の実行により復調した放送番組の音声信号からＣＭ音声信号を抽出する。従って、ザッピングではなくユーザが意図して視聴等をしている放送番組のＣＭから精度よくユーザの嗜好を特定することができる。
【００３９】
また、実施の形態１に係るユーザ嗜好特定方法は、放送信号を受信して放送番組の音声信号を復調し、放送番組の音声信号からＣＭ部分の音声信号を抽出し、ＣＭ部分の音声信号から特定の音声パターンをキーワードとして抽出し、キーワードとそのカテゴリとが対応付けて記憶されたキーワードデータベースを参照し、ＣＭ部分の音声信号から抽出したキーワードに対応するカテゴリを抽出し、ＣＭ部分の音声信号から抽出したキーワードに対応するカテゴリをその抽出回数に対応付けて記憶し、前記記憶したカテゴリのうち、その抽出回数に基づく特定のカテゴリを、ユーザが嗜好する嗜好カテゴリとして特定する。従って、放送番組のＣＭからユーザの嗜好を特定することができる。
【００４０】
＜Ｂ．実施の形態２＞
＜Ｂ−１．構成＞
図５は、実施の形態２に係るコンテンツ表示装置２００の構成を示すブロック図である。コンテンツ表示装置２００は、実施の形態１のユーザ嗜好特定装置１に加えて、コンテンツ制御装置１５及び表示装置１９を備えている。また、図５では、ユーザ嗜好特定装置１、コンテンツ制御装置１５及び表示装置１９を備えるコンテンツ表示装置２００を示したが、これらの構成から表示装置１９を除いた構成でコンテンツ配信装置としても良い。すなわち、図５は、実施の形態２に係るコンテンツ配信装置の構成を示すブロック図でもある。
【００４１】
コンテンツ制御装置１５は、コンテンツデータベース１６、コンテンツ抽出部１７及びコンテンツ配信部１８を備えている。コンテンツ制御装置１５は、例えばサーバ機能を有するパーソナルコンピュータ（ＰＣ）などによって構成され、ユーザ嗜好特定装置１とはネットワークを介して接続されていても良い。
【００４２】
コンテンツデータベース１６には、ＵＳＢメモリ等のリムーバブルディスク、又は外部ネットワークを介したコンテンツ配信等により、コンテンツが格納される。コンテンツデータベース１６では、コンテンツがカテゴリと対応付けて保存されている。具体的には、例えば、カテゴリに相当するタグ等の情報がコンテンツに付加されていたり、カテゴリに応じてコンテンツの保存場所が分けられたりしている。
【００４３】
コンテンツ抽出部１７は、コンテンツデータベース１６から特定のカテゴリに属するコンテンツを抽出する。
【００４４】
コンテンツ配信部１８は、コンテンツ抽出部１７が抽出したコンテンツを表示装置１９へ配信する。
【００４５】
表示装置１９は、コンテンツ受信部２０及び表示部２１を備えている。コンテンツ受信部２０は、コンテンツ制御装置１５のコンテンツ配信部１８から配信されたコンテンツを受信する。表示部２１は、液晶ディスプレイなどで構成され、コンテンツ受信部２０が受信したコンテンツを表示する。
【００４６】
＜Ｂ−２．動作＞
図６は、コンテンツ表示装置２００のコンテンツ制御装置１５及び表示装置１９の動作を示すフローチャートである。以下、図６に沿ってコンテンツ制御装置１５及び表示装置１９の動作を説明するが、ユーザ嗜好特定装置１の動作については実施の形態１と同様であるため、ここでは説明を省略する。
【００４７】
ユーザ嗜好特定装置１の嗜好カテゴリデータベース１３には、実施の形態１で説明したとおり、ユーザが視聴又は録画した番組のＣＭから抽出されたユーザ嗜好情報が蓄積されている。コンテンツ制御装置１５のコンテンツ抽出部１７は、嗜好カテゴリデータベース１３に蓄積された嗜好カテゴリを取得するカテゴリ取得部として動作し、さらに取得した嗜好カテゴリに合致するコンテンツ（以下、これを「嗜好コンテンツ」と呼ぶ）がコンテンツデータベース１６にあるか否かを判断する（ステップＳ２０１）。嗜好コンテンツがコンテンツデータベース１６にあれば、当該嗜好コンテンツはコンテンツ抽出部１７によってコンテンツデータベース１６から抽出され（ステップＳ２０２）、コンテンツ配信部１８によって表示装置１９へ配信される（ステップＳ２０３）。嗜好カテゴリデータベース１３に蓄積されたいずれの嗜好カテゴリに関する嗜好コンテンツもコンテンツデータベース１６に無い場合には、そのまま処理を終了する（ステップＳ２０１：Ｎｏ）。
【００４８】
表示装置１９では、ステップＳ２０３で配信された嗜好コンテンツをコンテンツ受信部２０により受信し、表示部２１で表示を行う（ステップＳ２０４）。但し、表示部２１での嗜好コンテンツの表示は、ステップＳ２０３で配信された嗜好コンテンツを自動的に表示するのではなく、ユーザによる操作を受けて表示するものとしても良い。例えば、特定のリモコンボタンが押下されたときや、表示装置１９の主電源がオンになった直後に嗜好コンテンツを表示することが考えられる。これにより、通常の放送番組、すなわちデジタル放送受信部２で取得した放送番組の視聴を妨げないようにすることが出来る。
【００４９】
また、ステップＳ２０２で複数の嗜好コンテンツが抽出された場合、図７に示すようにそれらの一覧を表示部２１に表示しても良い。その場合、各嗜好コンテンツが属する嗜好カテゴリの抽出回数又は抽出日時などの情報に基づき嗜好コンテンツの優先順位を示しても良い。すなわち、コンテンツ抽出部１７は、コンテンツデータベース１６から抽出した複数の嗜好コンテンツに対して、当該嗜好コンテンツの属する嗜好カテゴリの抽出回数又は抽出日時に基づき優先順位を付与する優先順位付与部としても動作する。例えば、複数の嗜好コンテンツを、当該嗜好コンテンツの属する嗜好カテゴリの抽出回数順に表示することができる。また、当該嗜好コンテンツの属する嗜好カテゴリの抽出回数に応じた「おすすめ度」を表示しても良い。図７の例では、嗜好カテゴリ「車」「ファッション」「グルメ」の順に抽出回数が多い場合、その順番でコンテンツを並べたり、おすすめ度をマークの数で示したりしている。
【００５０】
＜Ｂ−３．変形例＞
図５では、表示部２１を、ユーザ嗜好特定装置１とは別の装置である表示装置１９の構成要素として示しているが、ユーザ嗜好特定装置１の図示しない表示部であっても良い。その場合、ユーザ嗜好特定装置１と表示装置１９とが併せて、液晶テレビのようなデジタル放送受信機により構成されていても良い。
【００５１】
＜Ｂ−４．効果＞
実施の形態２に係るコンテンツ配信装置は、ユーザ嗜好特定装置１と、コンテンツ制御装置１５と、を備える。そして、コンテンツ制御装置１５は、ユーザ嗜好特定装置１が特定した嗜好カテゴリを取得するカテゴリ取得部（コンテンツ抽出部１７）と、コンテンツをカテゴリに対応付けて記憶するコンテンツデータベース１６と、コンテンツデータベース１６から嗜好カテゴリに対応したコンテンツを嗜好コンテンツとして抽出するコンテンツ抽出部１７と、コンテンツ抽出部１７が抽出した嗜好コンテンツを配信するコンテンツ配信部１８とを備える。従って、ユーザの嗜好に適合したコンテンツを配信することができる。
【００５２】
また、コンテンツ制御装置１５は、コンテンツ抽出部１７が抽出した複数の嗜好コンテンツに、嗜好コンテンツの嗜好カテゴリの抽出回数又は抽出日時の情報に基づき、優先順位を付与する優先順位付与部をさらに備える。従って、ユーザの嗜好に適合した複数のコンテンツをユーザに分かりやすく提示することが可能になる。
【００５３】
また、実施の形態２のコンテンツ配信方法は、実施の形態１のユーザ嗜好特定方法で特定されたユーザの嗜好カテゴリを取得し、コンテンツがカテゴリに対応付けて記憶されたコンテンツデータベース１６から前記嗜好カテゴリに対応したコンテンツを嗜好コンテンツとして抽出し、当該嗜好コンテンツを配信する。従って、ユーザの嗜好に適合したコンテンツを配信することができる。
【００５４】
なお、本発明は、その発明の範囲内において、各実施の形態を自由に組み合わせたり、各実施の形態を適宜、変形、省略することが可能である。
【産業上の利用可能性】
【００５５】
本発明は、デジタルサイネージ機器等の特定のユーザへ向けた情報発信機器への利用が見込まれる。
【符号の説明】
【００５６】
１  ユーザ嗜好特定装置、２  デジタル放送受信部、３  予約管理部、４  視聴管理部、５  番組データベース、６  ＣＭ抽出部、７  キーワードデータベース、８  キーワード抽出部、９  カテゴリデータベース、１０  ＣＭカテゴリ抽出部、１１  ＣＭカテゴリデータベース、１２  嗜好カテゴリ特定部、１３  嗜好カテゴリデータベース、１４  アンテナ、１５  コンテンツ制御装置、１６  コンテンツデータベース、１７  コンテンツ抽出部、１８  コンテンツ配信部、１９  表示装置、２０  コンテンツ受信部、２１  表示部、２００  コンテンツ表示装置。
【図１】
0006678425.tif 000002
【図２】
0006678425.tif 000003
【図３】
0006678425.tif 000004
【図４】
0006678425.tif 000005
【図５】
0006678425.tif 000006
【図６】
0006678425.tif 000007
【図７】
0006678425.tif 000008